(57)【要約】      （修正有）【課題】カートリッジヒーターの電極端子を改良し、当該ヒーターの点検及び交換の容易化を図ったカートリッジヒーターの端子構造を提供する。【解決手段】金属パイプの内部に電熱線を配設し且つ前記パイプ内部に絶縁材を充填し、一方端部に電極端子が設けられたカートリッジヒーター１０である。前記電極端子を２本のピン形態を有するピン端子１５，１５とする。これらピン端子１５，１５が電源コード２０の端部に設けられた２穴コンセント２１の接続穴部２５，２５に挿入されて電源供給が成される。これによりカートリッジヒーター１０と電源コード２０との接続又は分離が容易に成され、カートリッジヒーター１０の交換等が簡易となる。【選択図】図２
0003183644.tif 000002
【実用新案登録請求の範囲】
【請求項１】
金属パイプの内部に電熱線を配設し且つ前記パイプ内部に絶縁材を充填封入し、一方端部に電極端子が設けられたカートリッジヒーターにおいて、
この電極端子を２本のピン形態を有するピン端子と成し、
これらピン端子が電源コードの端部に設けられた２穴コンセントに挿入されて電源供給が成されることを特徴とするカートリッジヒーターの端子構造。
【考案の詳細な説明】
【技術分野】
【０００１】
本考案は、カートリッジヒーターに関し、とりわけその端子構造の改良に関するものである。
【背景技術】
【０００２】
カートリッジヒーターとは、棒状の小型のヒーターであって、外側の金属製パイプの内部に電熱線を配設し、このパイプの内部に絶縁材を充填し、パイプの一方の端部からリード線を導出した形態のものである。
【０００３】
そして、このカートリッジヒーターを被加熱物に挿入するのみで効果的な加熱を行うことができるヒーターのため、各種用途に広範に利用されている。
例えば、プレス用電熱盤成形機、金型及び各種自動機械用熱源として利用されている。
棒状のヒーターのため、金属ブロックに設けた孔部に挿入して容易に過熱することができ、交換も極めて容易なものである。
【０００４】
図３は、従来のカートリッジヒーターの説明図であって、その（Ａ）がリード線端子のものを示し、その（Ｂ）がネジ端子のものを示している。
（Ａ）図のカートリッジヒーター５０では、図中右側に２本のリード線５２、５２が導出され、これらのリード線５２、５２が電極端子を成し、電力が供給される。
【０００５】
（Ｂ）図のカートリッジヒーター６０では、図中右側の２本のネジ端子６２、６２が設けられたもので、これらのネジ端子６２、６２が電極端子を成すものである。
【考案の概要】
【考案が解決しようとする課題】
【０００６】
上記のように、従来のカートリッジヒーターの電極端子としては、パイプの一方の端部から導出されるリード線のタイプのものと螺子のタイプのものが一般的である。
このようなタイプにおいては、ヒーターが断線した場合の検索、或いはヒーター交換の場合には、リード線の先端部の結束の取り外し、或いはネジ端子でのネジの取り外し等において、非常に手間が掛かり、交換の作業時間も長く掛かっていた。
【０００７】
そこで、本考案においては、上記従来の問題点を解決すべく、断線ヒーターの検索、或いは断線ヒーターの交換等が容易にできるタイプのカートリッジヒーターを提供することをその課題とする。
そのために、本考案においては、カートリッジヒーターの端子に着目して、この端子部分の改良をその課題とするものである。
【課題を解決するための手段】
【０００８】
上記課題を解決するために、本考案においては、金属パイプの内部に電熱線を配設し且つ前記パイプ内部に絶縁材を充填封入し、一方端部に電極端子が設けられたカートリッジヒーターにおいて、この電極端子を２本のピン形態を有するピン端子と成し、これらピン端子が電源コードの端部に設けられた２穴コンセントに挿入されて電源供給が成されることを特徴とするカートリッジヒーターの端子構造とした。
【考案の効果】
【０００９】
本考案においては、カートリッジヒーターの電極端子が、２本のピン形態を有するピン端子からなるため、例えば、電源コードの端部に設けた２穴コンセントに簡単に挿入させて電源の供給を行うことが出来る。
【００１０】
カートリッジヒーターの点検や交換に際しても、このコンセントからピン端子を抜き取るのみの動作により簡単にヒーターを取り出したり、交換することができ、極めて短時間で行うことができ、作業の効率化に寄与するものとなる。
【図面の簡単な説明】
【００１１】
【図１】本考案のカートリッジヒーターに係る一実施形態の一部省略正面図である。  この図においては、ヒーター本体部の中間部を省略して図示している。
【図２】上記実施形態に係るカートリッジヒータと電源コードとの接続を示す説明図であって、その（Ａ）が両者を分離した状態を示し、その（Ｂ）が両者を接続し、通電した状態を示している。
【図３】従来のカートリッジヒーターの説明図であって、その（Ａ）がリード線端子を有するものを示し、その（Ｂ）がネジ端子を有するものを示している。
【考案を実施するための形態】
【００１２】
以下、添付の図面と共に本考案の一実施形態について説明する。
図１は、本考案のカートリッジヒーターに係る一実施形態の一部省略正面図である。
この図においては、ヒーター本体部の中間部を省略して図示している。
【００１３】
本考案に係るカートリッジヒーター１０のヒーター本体部１１は、従来のものと同様の構成を有し、本実施形態ではステンレス製管体の内部にニクロム線等の電熱線を配設し、管体内部には絶縁材が高密度に封入されたものである。
【００１４】
このヒーター本体部１１の図中右端には電極を設けるための電極支持部１２を設け、この電極支持部１２の端面にピン形態の２本の電極端子を構成するピン端子１５、１５を設けている。
【００１５】
ピン形態というのは、胴部が所定の同一外径を有する棒状のもので、先端部がアールを持った球面状に形成されたものである。
【００１６】
このピン端子１５のそれぞれにヒーター本体部１１内に配設された電熱線の端部が接続されるのである。
【００１７】
図２は、上記実施形態に係るカートリッジヒータ１０と電源コンセント２０との接続を示す説明図であって、その（Ａ）が両者を分離した状態を示し、その（Ｂ）が両者を接続し、通電した状態を示している。
【００１８】
電源コード２０の一方の端部には、２つの接続穴部２５、２５が設けられたコンセント２１が設けられており、前記接続穴部２５、２５の内部には電源コード２０の導線の両端子が内設されている。
【００１９】
このコンセント２１の接続穴部２５、２５内に、本考案に係るカートリッジヒーター１０の一方端部に設けられているビン端子１５、１５を差し込むことにより通電がなされることとなる。
【００２０】
このように、本考案においては、カートリッジヒーター１０と電源コード２０のコンセント２１とを簡単に接続及び分離することができ、カートリッジヒーター１０の点検や交換に極めて便利なものとなるのである。
【００２１】
以上、本考案の実施形態について説明したが、本考案においては以下の通り種々設計変更することができる。
本考案においては、カートリッジヒーターの本体部の外径、長さ、形状、又は材質等々は、自由に選択して、設計することができる。
【００２２】
ピン端子を支持する電極支持部の形態もまったく自由に設計することができる。
ピン端子の素材（導電性を有するもの）、外径、長さ及び間隔距離も適宜設定変更することができる。
【００２３】
特にピン端子の外径形状は、上記実施形態のような棒状のものでなく、一般的な電源コードのプラグに用いられているような２本の金属製の板状体又は帯状体のものから形成することもできる。
【００２４】
以上、本考案においては、カートリッジヒーターの端子構造をピン端子と成し、これにより電源コードのコンセントに簡単に接続及び分離することでき、それ故このカートリッジヒーターの点検及び交換を極めて簡単に行うことができるものである。
【符号の説明】
【００２５】
１０  カートリッジヒーター
１１  ヒーター本体部
１２  電極支持部
１５  ピン端子
２０  電源コード
２１  コンセント
２５  接続穴部
【図１】
0003183644.tif 000003
【図２】
0003183644.tif 000004
【図３】
0003183644.tif 000005